(57)【特許請求の範囲】
【請求項１】
壁体にビス止めされ、鏡を保持する鏡押さえ部材であって、該鏡押さえ部材は、鏡の表面側上端縁部もしくはその表面側下端縁部を覆って保持可能な押さえ部と、該押さえ部の上下一端縁に押さえ部の表面と連続する表面を形成して、かつ、押さえ部の厚みよりも大きな厚みを有して一体に設けられ、鏡の上端面もしくはその下端面と当接可能な当接部と、からなり、前記当接部には、左右方向の一端近傍にビス穴が形成されるとともに、その他端との間に設定間隔をおいて複数個のビス穴が形成され、また、押さえ部の表面および当接部の表面に左右方向の一端を基準として１本もしくは複数本の切断用ケガキ線が上下方向に形成され、幅寸法の異なる鏡に合わせて対応するケガキ線で切断された際に、左右方向の一端近傍のビス穴および複数個のビス穴から選択されたビス穴にビスをねじ込んで固定可能に構成したことを特徴とする鏡押さえ部材構造。
【請求項２】
前記鏡押さえ部材を覆って押さえ部材カバーが装着され、該押さえ部材カバーには、鏡押さえ部材の当接部の外面に形成された係止溝に係止可能な複数個の係止片が形成されたことを特徴とする請求項１記載の鏡押さえ部材構造。
【発明の詳細な説明】
【０００１】
【発明の属する技術分野】
本発明は、浴室ユニットやシャワーユニット、あるいは、洗面台などに設置される鏡を固定するための鏡押さえ部材構造に関するものである。
【０００２】
【従来の技術】
一般に、浴室ユニットやシャワーユニットなどの壁パネルまたは洗面台には鏡が固定されている。例えば、図８に示すように、壁体１の鏡設置位置に合わせて断面鉤状に折曲形成された下鏡受け金具１１をビスｂを介して固定するとともに、断面鉤状に折曲形成された上鏡受け金具１２をその長穴１２ａを通して緩やかにビスｂを介して固定した後、鏡２を下鏡受け金具１１に載置してその下端縁部両端近傍を保持し、次いで、上鏡受け金具１２を強制的に押し下げて鏡２の上端縁部両端近傍を保持するものである。ここで、下鏡受け金具１１および上鏡受け金具１２にはパッキン１３がそれぞれ配設されて、壁体１の表面に沿って設置された鏡２を弾性支持している。
【０００３】
【発明が解決しようとする課題】
しかしながら、前述したような鏡の固定構造においては、鏡２の幅寸法に関係なく鏡２の四隅に下鏡受け金具１１および上鏡受け金具１２を固定して鏡２を保持することができるものの、上鏡受け金具１２を長穴１２ａを利用して上方から押し下げて鏡２を保持することから、上鏡受け金具１２は壁体１に対して完全に固定されておらず、壁体１の振動によって上鏡受け金具１２が上方にずれ動くことがある。このような上鏡受け金具１２のずれが繰り返されて動きが大きくなると、上鏡受け金具１２が外れて鏡２が落下するおそれがある。
【０００４】
なお、鏡受け金具を鏡の外方で壁体にビス止めすることも考えられるが、ビス止めするための脚部およびビスが露出し、意匠性が低下する問題がある。
【０００５】
本発明は、このような問題点に鑑みてなされたもので、幅寸法の異なる複数種類の鏡を確実に保持してその脱落を防止することのできる鏡押さえ部材構造を提供するものである。
【０００６】
【課題を解決するための手段】
本発明は、壁体にビス止めされ、鏡を保持する鏡押さえ部材であって、該鏡押さえ部材は、鏡の表面側上端縁部もしくはその表面側下端縁部を覆って保持可能な押さえ部と、該押さえ部の上下一端縁に押さえ部の表面と連続する表面を形成して、かつ、押さえ部の厚みよりも大きな厚みを有して一体に設けられ、鏡の上端面もしくはその下端面と当接可能な当接部と、からなり、前記当接部には、左右方向の一端近傍にビス穴が形成されるとともに、その他端との間に設定間隔をおいて複数個のビス穴が形成され、また、押さえ部の表面および当接部の表面に左右方向の一端を基準として１本もしくは複数本の切断用ケガキ線が上下方向に形成され、幅寸法の異なる鏡に合わせて対応するケガキ線で切断された際に、左右方向の一端近傍のビス穴および複数個のビス穴から選択されたビス穴にビスをねじ込んで固定可能に構成したことを特徴とするものである。
【０００７】
この発明によれば、鏡の幅寸法に対応する位置のケガキ線で鏡押さえ部材を切断することができ、切断された鏡押さえ部材の選択されたビス穴にビスをねじ込むことにより、壁体に簡単に固定することができる。この結果、単一の鏡押さえ部材を幅寸法の異なる複数種類の鏡に対応させることができることから、１種類の鏡押さえ部材を成型する成型金型を用意すればよく、コストを大幅に削減することができる。
【０００８】
この際、鏡押さえ部材の押さえ部の裏面が鏡の表面側上下各端縁部を保持するとともに、その当接部の内面が鏡の上下端面に当接して支持することから、鏡を確実に保持してその脱落を防止することができる。
【０００９】
請求項１記載の発明において、鏡押さえ部材の当接部の外面に係止溝が形成され、また、鏡押さえ部材の係止溝に対応して、鏡押さえ部材に装着可能な押さえ部材カバーに係止片が形成されると、鏡押さえ部材に押さえ部材カバーを装着することにより、鏡押さえ部材の係止溝に押さえ部材カバーの係止片が係止して押さえ部材カバーの脱落を確実に防止することができるとともに、鏡押さえ部材を覆って鏡押さえ部材を固定するビスを隠すことができ、見栄えを損なうことがない。
【００１０】
【発明の実施の形態】
以下、本発明の実施の形態を図面を参照して説明する。
【００１１】
図１乃至図３には、本発明の鏡押さえ部材を用いた鏡の固定構造が示されている。
【００１２】
この鏡の固定構造は、鏡２の上下各端縁近傍を押さえて保持するとともに、鏡２の上下端面に当接する鏡押さえ部材３と、該鏡押さえ部材３の裏面に配置されて鏡２および鏡押さえ部材３を弾性支持する複数個の鏡受けパッキン４と、鏡押さえ部材３に装着される押さえ部材カバー５と、から構成されている。
【００１３】
鏡押さえ部材３は、正面より見て横長に形成され、鏡２の表面側上端縁部もしくはその表面側下端縁部を覆って保持する平板状の押さえ部３１と、この押さえ部３１の上下一端縁に押さえ部３１の表面と連続する表面を形成して、かつ、押さえ部３１の厚みよりも大きな厚みを有して一体に設けられた当接部３２と、からなり、押さえ部３１は、その裏面側先端縁が面取りされて鋭角状に形成されている他、当接部３２には、左端近傍にビス穴Ａがその厚み方向に形成されるとともに、その右端との間に設定間隔をおいて複数個（この実施形態においては５個）のビス穴Ｂ，Ｃ，Ｄ，Ｅ，Ｆがその厚み方向に形成されている。これらの各ビス穴Ａ乃至Ｆは、図２に詳細に示すように、ビスｂの頭部の外径に相当する内径の大径部３２１と、ビスｂの頭部形状に対応する段差部３２２と、ビスｂの軸径に相当する内径の小径部３２３とを有し、この実施形態においては、サラ頭のビスｂが用いられることにより、段差部３２２の内周面は円錐面に形成されている。
【００１４】
また、鏡押さえ部材３の押さえ部３１および当接部３２の表面には、後述する押さえ部材カバー５の前面部５１の裏面と当接可能な凸部３３が設定間隔をおいてそれらの上下端縁にわたって形成されている他、それらの左右一端を基準として設定間隔をおいて複数本（この実施形態においては２本）の切断用ケガキ線３４１，３４２がそれらの上下方向に形成されている。
【００１５】
なお、凸部３３の上下端縁も面取りされて鋭角状に形成されている。
さらに、当接部３２の内面には、鏡２の上下端面と当接可能な複数本の凸部３５（図２および図５参照）が、後述する鏡受けパッキン４と干渉しないように、設定間隔をおいて形成されている。
【００１６】
このように形成された鏡押さえ部材３は、幅寸法の異なる複数種類の鏡２、具体的には、３９０ｍｍ，３４０ｍｍ，３００ｍｍの３種類の鏡２を固定する場合に使用することができる。すなわち、３種類の鏡２のうち、幅寸法が３９０ｍｍの鏡２を固定する場合、鏡押さえ部材３はそのまま使用され、ビス穴Ａ，Ｃ，Ｆにビスｂがねじ込まれる。また、幅寸法が３４０ｍｍの鏡２を固定する場合、鏡押さえ部材３は、外側のケガキ線３４２で切断され、ビス穴Ａ，Ｂ，Ｄにビスｂがねじ込まれる。さらに、幅寸法が３００ｍｍの鏡２を固定する場合、鏡押さえ部材３は、内側のケガキ線３４１で切断され、ビス穴Ａ，Ｂ，Ｃにビスｂがねじ込まれる。
【００１７】
鏡受けパッキン４は、図４に詳細に示すように、ビス穴４１ａが形成された押さえ部材受け部４１および切欠部４２１が形成された鏡受け部４２を有し、クロロプレンゴムなどの弾性材料で一体に成形されている。そして、鏡受けパッキン４の押さえ部材受け部４１は、当接部３２の裏面に接触して支持するとともに、ビス穴Ａ乃至Ｆにおける各小径部３２３の周囲を密封することができ、また、その鏡受け部４２は、鏡２の裏面に接触して支持することができる。ここで、押さえ部材受け部４１のビス穴４１ａは、ビスｂの軸径に相当する穴径を有している。
【００１８】
押さえ部材カバー５は、前面部５１と、該前面部５１の上下端縁にそれぞれ幅方向にわたって水平に延設された外面部５２および内面部５３と、これらの前面部５１、外面部５２および内面部５３の左右端縁に延設された側面部５４とを有して一体に成型されている。そして、押さえ部材カバー５の左右の側面部５４の内面間隔は、鏡押さえ部材３の幅寸法よりも若干長く設定されているとともに、外面部５２の奥行き寸法は、鏡押さえ部材３の押さえ部３２の厚みよりも若干小さく設定され、また、内面部５３の奥行き寸法は、凸部３３と押さえ部３１の厚みの和に略設定されている。さらに、側面部５４は、前述した鏡押さえ部材３の左右端面を覆うように、略Ｌ字状に形成されている。
【００１９】
なお、押さえ部材カバー５の外面部５２の内面には、前述した鏡押さえ部材３の当接部３２の外面に形成された係止突条３２ａに対応して同様な係止突条５２ａ（図３参照）が形成されている他、その内面部５３の内面先端縁には、設定間隔をおいて係止凸部５３ａ（図３参照）が形成されている。このため、押さえ部材カバー５を鏡押さえ部材３に装着した際、その外面部５２の係止突条５２ａと鏡押さえ部材３の係止突条３２ａが係合するとともに、その内面部５３の係止凸部５３ａに鏡押さえ部材３の押さえ部３１の面取りされた先端縁が乗り越えて係合し、押さえ部材カバー５の脱落を阻止するものである。
【００２０】
なお、図１乃至図３の鏡押さえ部材３、鏡受けパッキン４および押さえ部材カバー５は、鏡２の上端縁を保持するものであり、鏡２の下端縁についても、同一の鏡押さえ部材３、鏡受けパッキン４および押さえ部材カバー５が使用される。ただし、鏡２の下端縁を保持する鏡押さえ部材３、鏡受けパッキン４および押さえ部材カバー５は、その上端縁を保持する鏡押さえ部材３、鏡受けパッキン４および押さえ部材カバー５とは上下反転して用いられる（図５参照）。
【００２１】
次に、このように構成した鏡押さえ部材３、鏡受けパッキン４および押さえ部材カバー５を用いて、幅寸法が３９０ｍｍの鏡２を固定する施工要領について説明する。
【００２２】
まず、鏡押さえ部材３の当接部３２の裏面側において、そのビス穴Ａ，Ｃ，Ｆの各小径部３２３に鏡受けパッキン４のビス穴４１ａを合わせ、接着剤や両面テープなどを利用して鏡受けパッキン４を貼着する。次いで、鏡受けパッキン４を取り付けた鏡押さえ部材３を把持し、その押さえ部３１の面取りされた他端縁を上方に向けるとともに、壁体１における鏡２の下端縁の固定位置に合わせて位置決めした後、当接部３２のビス穴Ａ，Ｃ，Ｆからビスｂをねじ込み、鏡押さえ部材３を鏡受けパッキン４とともに壁体１に固定する。この場合、ビスｂは、その頭部が各ビス穴Ａ，Ｃ，Ｆの段差部３２２に達するまで打ち込まれ、鏡押さえ部材３の外面に突出することなく各ビス穴Ａ，Ｃ，Ｆの内部に収容される他、鏡受けパッキン４が各ビス穴Ａ，Ｃ，Ｆの小径部３２３の周囲に密着して当接部３２およびビスｂを密封する。
【００２３】
次いで、鏡２を把持し、壁体１の表面に沿わせて下ろし、当接部３２上に載置する。この際、鏡２の下端面が該当接部３２の内面に形成された凸部３５に支持されると同時に、その表面側下端縁部が鏡押さえ部材３の押さえ部３１によって保持され、また、その裏面側下端縁部が３個の鏡受けパッキン４の鏡受け部４２を圧縮して弾性支持される。このため、鏡２の下端縁部が鏡受けパッキン４によって弾性支持されると同時に、鏡押さえ部材３によって保持される。
【００２４】
この後、鏡受けパッキン４を貼着したもう一つの鏡押さえ部材３を把持し、その押さえ部３１と鏡受けパッキン４の鏡受け部４２とが鏡２の上端縁部の表裏両面を挟み込むように上方から押し込んで取り付ける。鏡２の上端縁部に取り付けられた鏡押さえ部材３および鏡受けパッキン４は、同様に、ビス穴Ａ，Ｃ，Ｆを通してビスｂをねじ込むことにより、壁体１に固定される。
【００２５】
このように、鏡２の上下端縁部をそれぞれ上下の鏡押さえ部材３によって保持したならば、押さえ部材カバー５を把持し、それぞれ各鏡押さえ部材３の前面から押し込むと、押さえ部材カバー５の外面部５２の内面に形成された係止突条５２ａと鏡押さえ部材３の当接部３２の外面に形成された係止突条３２ａが係合するとともに、押さえ部材カバー５の内面部５３の内面に形成された係止凸部５３ａと鏡押さえ部材３の押さえ部３１の面取りされた先端縁が係合することから、押さえ部材カバー５は脱落することなく保持される。この際、押さえ部材カバー５の前面部５１の裏面は、鏡押さえ部材３に形成された凸部３３と当接し、押さえ部材カバー５の係止凸部５３ａと鏡押さえ部材３の押さえ部３１の先端縁との係合状態が位置決めされる。
【００２６】
この結果、鏡押さえ部材３を壁体１にビス止めすることにより、鏡２を鏡受けパッキン４によって弾性支持しつつ簡単に固定することができる。この際、ビスｂは、鏡受けパッキン４によって水密性が確保されるとともに、鏡押さえ部材３は、押さえ部材カバー５によって覆われることから、ビスｂなどが露出することがなく、見栄えを損なうことがない。
【００２７】
また、幅寸法が３４０ｍｍの鏡２を固定する場合は、鏡押さえ部材３を外側のケガキ線３４２で切断した後、鏡押さえ部材３の当接部３２の裏面側において、そのビス穴Ａ，Ｂ，Ｄの各小径部３２３に鏡受けパッキン４をそのビス穴４１ａを合わせて貼着し、前述した要領でビス穴Ａ，Ｂ，Ｄにビスｂをねじ込んで鏡２を固定すればよい。さらに、幅寸法が３００ｍｍの鏡２を固定する場合は、鏡押さえ部材３を内側のケガキ線３４１で切断した後、鏡押さえ部材３の当接部３２の裏面側において、そのビス穴Ａ，Ｂ，Ｃの各小径部３２３に鏡受けパッキン４をそのビス穴４１ａを合わせて貼着し、前述した要領でビス穴Ａ，Ｂ，Ｃにビスｂをねじ込んで鏡２を固定すればよい。
【００２８】
この場合、鏡押さえ部材カバー５は、鏡２の幅寸法に対応して切断された鏡押さえ部材３に装着可能な寸法に成型されている。
【００２９】
以上のように、１種類の鏡押さえ部材３を用いて幅寸法の異なる３種類の鏡２を固定することができることから、各鏡２の幅寸法に合わせて鏡押さえ部材３を成型するための成型金型を用意する必要がなく、コストを大幅に削減することができる。
【００３０】
なお、前述した実施形態においては、幅寸法の異なる３種類の鏡２を固定する鏡押さえ部材３について説明したが、３種類の鏡２を固定する場合に限定するものではなく、２種類あるいは４種類以上の鏡２を固定することができるように、ビス穴およびケガキ線を形成することもできる。
【００３１】
ところで、前述した実施形態においては、押さえ部材カバー５を成型品で例示したが、ステンレス鋼板などの耐腐食性に優れた金属板で形成することもできる。
【００３２】
以下、このような金属板で形成された押さえ部材カバー６について図６に基づいて説明する。
【００３３】
この押さえ部材カバー６は、ステンレス鋼板を折り曲げ加工して断面略コ字状に形成され、前面部６１と、該前面部６１の上下端縁にそれぞれ幅方向にわたって水平に延設された外面部６２および内面部６３と、から構成されている。そして、押さえ部材カバー６の外面部６２の奥行き寸法は、鏡押さえ部材３の当接部３２の厚みよりも若干小さく設定されている他、内面部６３の奥行き寸法は、凸部３３と押さえ部３１の厚みの和に略設定されている。また、外面部６２には、その幅方向に間隔をおいて複数個のコ字状の切り込みが形成されることによって複数個の係止片６２１を有している。この係止片６２１は、前面部６１に向かって下り勾配となるように折り曲げられており、このため、鏡押さえ部材３に装着する際、弾性変形して鏡押さえ部材３に抵抗を与えることなく容易に嵌め込むことができる。
【００３４】
一方、鏡押さえ部材３の当接部３２の外面には、前述した係止片６２１に対応してその先端を係止することができるように、幅方向にわたって係止溝３２ｂが形成されている。
【００３５】
したがって、押さえ部材カバー６を把持して鏡押さえ部材３に嵌め込むことにより、押さえ部材カバー６の加工精度が多少ばらついても、その外面部６２の係止片６２１が鏡押さえ部材３の当接部３２の外面に形成された係止溝３２ｂに係止し、鏡押さえ部材３から押さえ部材カバー６が脱落することを確実に防止することができるものである。
【００３６】
この場合、押さえ部材カバー６の外面部６２に形成される係止片６２１の形状は、方形に限らず、三角形状や台形状に形成してもよく、また、鏡押さえ部材３の当接部３２の外面に形成される係止溝３２ｂの形状も任意である他、係止片６２１の形成位置に合わせて左右方向に間欠的に形成してもよい。
【００３７】
この押さえ部材カバー６の厚みとしては、０．８ｍｍを越えると、バネ弾性が大きくなって鏡押さえ部材３への装着に際して大きな力が必要になり、一方、０．３ｍｍ以下になると、先端がカミソリ状に鋭利となって危険を伴うことから、０．４〜０．８ｍｍが好ましい。
【００３８】
なお、前述した実施形態においては、鏡押さえ部材３を、平板状の押さえ部３１と角棒状の当接部３２によって成型した場合を例示したが、材料を削減するとともに、容易に切断できるように適宜の形状に形成することもできる。例えば、図７に示すように、ビス穴Ａ乃至Ｆを包囲するボス３２ｘと、このボス３２ｘを上下から挟み込む２枚の補強辺３２ｙと、これらの補強辺３２ｙの前端縁間を接続する接続辺３２ｚによって当接部３２を形成し、この当接部３２の接続辺３２ｚの表面を押さえ部３１の表面と連続するように一体に成型して鏡押さえ部材３を形成することもできる。
【００３９】
【発明の効果】
以上のように本発明の鏡押さえ部材によれば、押さえ部が鏡の上下各端縁部を保持するとともに、当接部が鏡の上下端面に当接して支持することから、鏡を確実に保持してその脱落を防止することができる。そして、鏡の幅寸法に対応する位置のケガキ線で切断することができ、切断された鏡押さえ部材において、選択されたビス穴にビスをねじ込むことにより、壁体に簡単に固定することができる。この結果、単一の鏡押さえ部材を幅寸法の異なる複数種類の鏡に対応させることができることから、１種類の鏡押さえ部材を成型する成型金型を用意すればよく、コストを大幅に削減することができる。
【図面の簡単な説明】
【図１】本発明の鏡押さえ部材を用いた鏡の固定構造を一部省略して示す分解斜視図である。
【図２】図１の鏡の固定構造におけるビス止め部分の断面図である。
【図３】本発明の鏡押さえ部材の裏面側を押さえ部材カバーとともに一部省略して示す分解斜視図である。
【図４】鏡受けパッキンの斜視図である。
【図５】本発明の鏡押さえ部材によって鏡の下端縁を保持する際の裏面側を一部省略して示す斜視図である。
【図６】押さえ部材カバーの変形例を一部省略して示す斜視図である。
【図７】本発明の鏡押さえ部材の変形例を一部省略して示す斜視図である。
【図８】従来の鏡の固定構造を示す斜視図である。
【符号の説明】
１  壁体
２  鏡
３  鏡押さえ部材
３１  押さえ部
３２  当接部
３２ｂ  係止溝
３２１  大径部
３２２  段差部
３２３  小径部
３４１，３４２  ケガキ線
４  鏡押さえパッキン
５，６  押さえ部材カバー
６２１  係止片
Ａ，Ｂ，Ｃ，Ｄ，Ｅ，Ｆ  ビス穴
【図１】
0004267120.tif 000002
【図２】
0004267120.tif 000003
【図３】
0004267120.tif 000004
【図４】
0004267120.tif 000005
【図５】
0004267120.tif 000006
【図６】
0004267120.tif 000007
【図７】
0004267120.tif 000008
【図８】
0004267120.tif 000009